(57)【要約】【課題】従来よりも低床化に有利な排水構造を提供する。【解決手段】洗い場１８からの排水は、洗い場１８の排水口２２から洗い場用排水配管４４を介して、排水トラップ２６へ流入させ、浴槽１６からの排水は、浴槽１６の排水口２０から洗い場用排水配管４４を介して排水トラップ２６へ流入させる。床面１８Ａの一部に設けた底上げ部２４の内部に排水トラップ２６を配置し、排水トラップ２６の上端２６Ａよりも低い位置に床面１８Ａを配置することで、従来よりもユニットバス１０の床下の寸法を小さくすることができる。【選択図】図１
2010059654.tif 000002
【特許請求の範囲】
【請求項１】
浴槽の底部に配置される第１の排水口と、
床面に配置される第２の排水口と、
前記第１の排水口、及び前記第２の排水口から流出された排水が流入する封水式のトラップと、を備え、
前記トラップは、前記排水を内部に流入させるための流入口が、トラップ内に設けられる封水の液面よりも下方に配置され、
前記トラップの上端が少なくとも洗い場の前記第２の排水口が配置された前記床面よりも上方に位置するように前記トラップが配置されている、排水構造。
【請求項２】
前記トラップは、浴室内に開口する開口部、及び前記開口部を閉塞する蓋を備えている、請求項１に記載の排水構造。
【請求項３】
前記床面の上に前記浴槽が配置されている浴室を有する、請求項１または請求項２に記載の排水構造。
【請求項４】
前記浴槽の側方にのみ前記床面が配置されおり、前記浴槽と前記床面とが一体化している浴室を有する、請求項１または請求項２に記載の排水構造。
【請求項５】
床面に配置される排水口と、
前記排水口から流出された排水が流入する封水式のトラップと、を備え、
前記トラップは、前記排水を内部に流入させるための流入口が、トラップ内に設けられる封水の液面よりも下方に配置され、
前記トラップの上端が、前記排水口が配置された前記床面よりも上方に位置するように前記トラップが配置されている、シャワー室の排水構造。
【請求項６】
床面に配置される排水口と、
前記排水口から流出された排水が流入する封水式のトラップと、を備え、
前記トラップは、前記排水を内部に流入させるための流入口が、トラップ内に設けられる封水の液面よりも下方に配置され、
前記トラップの上端が、前記排水口が配置された前記床面よりも上方に位置するように前記トラップが配置されている、洗濯機用防水パンの排水構造。
【請求項７】
前記トラップの上部には、排水をトラップ内に流入させる流入部が設けられている、請求項１〜請求項４の何れか１項に記載の排水構造。
【請求項８】
前記トラップの上部には、排水をトラップ内に流入させる流入部が設けられている、請求項５に記載のシャワー室の排水構造。
【請求項９】
前記トラップの上部には、排水をトラップ内に流入させる流入部が設けられている、請求項６に記載の洗濯機用防水パンの排水構造。
【発明の詳細な説明】
【技術分野】
【０００１】
本発明は、排水構造に係り、特に低床化に有利な排水構造、シャワー室の排水構造、洗濯機用防水パンの排水構造に関する。
【背景技術】
【０００２】
従来のユニットバスでは、スラブ面からユニットバスの床面までの高さ方向の寸法（以下、床下の寸法という）が２５０〜３００ｍｍ程度必要であった。これは、主に、床下に配置される封水式の排水トラップにある程度の高さ方向の寸法が必要なことによる。
【０００３】
また、一方、近年の住宅においてはバリアフリー設計が主流となっており、浴室の洗い場の床レベル及び脱衣室の床レベルを含めた住戸全体の床レベルが同一、もしくは段差が少ないことが求められている。このため、床下の寸法は、給水・給湯や電気・ガスなどの配管やサッシの納まり等を考慮しても、１２０ｍｍ程度あれば充分であるにもかかわらず、脱衣室を含めた住戸全体の床下の寸法を大きくして、脱衣室を含めた住戸全体の床レベルを浴室の洗い場の床レベルに合わせるか、浴室、脱衣室のスラブ面を落とし込んで、浴室、脱衣室の床レベルを住宅全体の床レベルに合わせている。
【０００４】
また、高齢者対応浴槽などは浴槽またぎを低くするため、浴槽設置部分を低くする必要がある。その場合、浴槽底部の排水部分もしくは浴槽設置側の床パン（浴槽パン）排水部分を下げなければならない。また、浴槽排水は洗い場に設置したトラップに接続する構造となっていたため、洗い場側に設置したトラップ高さが高くなってしまい、その結果、ユニットバスの床面が高くなっている。
【０００５】
また、封水式のトラップでは、封水強度を保つため、ある程度の封水深（ＳＨＡＳＥ−Ｓ２１８によれば、その封水深は最低５０ｍｍ必要）が必要であり、トラップの高さを低くするにも限界がある。
ユニットバスの排水構造としては、例えば、特許文献１に開示されている排水構造があるが、市場においては、さらなる低床化が求められている。
【０００６】
【特許文献１】特開平１０−１６８９７２号公報
【発明の開示】
【発明が解決しようとする課題】
【０００７】
本発明は、上記事実を考慮し、従来よりも低床化に有利な排水構造、シャワー室の排水構造、洗濯機用防水パンの排水構造を提供することが目的である。
【課題を解決するための手段】
【０００８】
本発明の請求項１に係る排水構造は、浴槽の底部に配置される第１の排水口と、床面に配置される第２の排水口と、前記第１の排水口、及び前記第２の排水口から流出された排水が流入する封水式のトラップと、を備え、前記トラップは、前記排水を内部に流入させるための流入口が、トラップ内に設けられる封水の液面よりも下方に配置され、前記トラップの上端が少なくとも洗い場の前記第２の排水口が配置された前記床面よりも上方に位置するように前記トラップが配置されている。
【０００９】
次に、請求項１に記載の排水構造の作用を説明する。
請求項１に記載の排水構造によれば、浴槽の湯水は第１の排水口を介して行われる。床面の水は、第２の排水口を介して行われる。
トラップには、封水の液面よりも下方に配置された流入口を介して排水が流入し、下流側の下水等に排水される。
【００１０】
ここで、従来の浴室構造では、トラップの上部に設けた流入口から洗い場等からの湯水をトラップ内に流入させていたため、トラップを洗い場の床面の一番低い個所に設けていた。しかしながら、請求項１に記載の排水構造によれば、第２の排水口に床面の排水を流入させることが出来るため、トラップの上部から床面の排水を流入させる必要が無く（なお、床面の排水を流入させても構わない）、トラップを床面の一番低い部位に配置する必要がない。
【００１１】
請求項１に記載の排水構造では、トラップの上端が少なくとも洗い場の第２の排水口が配置された床面よりも上方に位置するようにトラップが配置されているので、床面の高さを低くすることができ、これにより、従来よりも浴室の床下の寸法を小さくすることができる。
例えば、浴室内（浴室の壁の内側）にトラップを配置する場合には、浴室の洗い場の床面の一部、及び浴槽の底部の一部の少なくとも一方に底上げ部を設け、その内部にトラップを配置する。浴室の洗い場の床面の一部、及び浴槽の底部の一部の少なくとも一方は高くなるが、該一部を除く残りの床面全体の高さは低くすることができる。
【００１２】
なお、トラップを浴槽に設けた底上げ部の内方に配置すれば、洗い場側にトラップを配置するための底上げ部が必要無くなる。トラップを洗い場に設けた底上げ部の内方に配置すれば、浴槽に底上げ部を設ける必要が無くなり、浴槽の底部をフラット化できる。
また、トラップは、浴室の外側（浴室の壁の外側）にトラップを配置する空間があれば、トラップは浴室内（浴室の壁の内側）に限らず、浴室の外側に配置することもできる。トラップを浴室の外側に配置できる場合、浴槽の底部、及び床面を完全にフラット化することが可能となる。
【００１３】
請求項２に記載の発明は、請求項１または請求項２に記載の排水構造において、前記トラップは、浴室内に開口する開口部、及び前記開口部を閉塞する蓋を備えている。
【００１４】
請求項２に記載の排水構造によれば、トラップの上部に蓋で閉塞される開口部が設けられているため、浴室において蓋を外すことで、トラップ内部を容易に点検、清掃等することができる。
【００１５】
請求項３に記載の発明は、請求項１または請求項２に記載の排水構造において、前記床面の上に前記浴槽が配置されている浴室を有する。
【００１６】
請求項４に記載の発明は、請求項１または請求項２に記載の排水構造において、前記浴槽の側方にのみ前記床面が配置されおり、前記浴槽と前記床面とが一体化している浴室を有する。
【００１７】
請求項５に記載のシャワー室の排水構造は、床面に配置される排水口と、前記排水口から流出された排水が流入する封水式のトラップと、を備え、前記トラップは、前記排水を内部に流入させるための流入口が、トラップ内に設けられる封水の液面よりも下方に配置され、前記トラップの上端が、前記排水口が配置された前記床面よりも上方に位置するように前記トラップが配置されている。
【００１８】
次に、請求項５に記載のシャワー室の排水構造の作用を説明する。
請求項５に記載のシャワー室の排水構造は、実質的に、請求項１の排水構造から浴槽を省いた構成である。
【００１９】
請求項５に記載のシャワー室の排水構造によれば、シャワー室の床面の湯水は、排水口を介して行われる。
トラップには、封水の液面よりも下方に配置された流入口を介して排水が流入し、下流側の下水等に排水される。請求項５に記載のシャワー室の排水構造においても、トラップの上部から排水を流入させる必要がないため、トラップをシャワー室の床面の一番低い部位に配置する必要がない。
【００２０】
請求項５に記載のシャワー室の排水構造では、排水を内部に流入させるための流入口がトラップ内に設けられる封水の液面よりも下方に配置され、トラップの上端が、排水口が配置された床面よりも上方に位置するようにトラップが配置されているので、シャワー室の床面の高さを低くすることができ、これにより、従来よりも床下の寸法を小さくすることができる。
例えば、シャワー室内（シャワー室の壁の内側）にトラップを配置する場合には、シャワー室の床面の一部に底上げ部を設け、その内部にトラップを配置する。床面の一部は高くなるが、該一部を除く残りの床面全体の高さは低くすることができる。
【００２１】
また、トラップは、排水口が配置されるシャワー室の外側（シャワー室の壁の外側）にトラップを配置する空間があれば、トラップは排水口が配置されるシャワー室内（シャワー室の壁の内側）に限らず、シャワー室の外側に配置することもできる。トラップを排水口が配置されるシャワー室の外側に配置できる場合、該シャワー室の床面を完全にフラット化することが可能となる。
【００２２】
請求項６に記載の洗濯機用防水パンの排水構造は、床面に配置される排水口と、前記排水口から流出された排水が流入する封水式のトラップと、を備え、前記トラップは、前記排水を内部に流入させるための流入口が、トラップ内に設けられる封水の液面よりも下方に配置され、前記トラップの上端が、前記排水口が配置された前記床面よりも上方に位置するように前記トラップが配置されている。
【００２３】
請求項６に記載の洗濯機用防水パンの排水構造によれば、洗濯機用防水パンの床面の水は、排水口を介して行われる。
トラップには、封水の液面よりも下方に配置された流入口を介して排水が流入し、下流側の下水等に排水される。請求項６に記載の洗濯機用防水パンの排水構造においても、トラップの上部から排水を流入させる必要がないため、トラップを洗濯機用防水パンの床面の一番低い部位に配置する必要がない。
【００２４】
請求項６に記載の洗濯機用防水パンの排水構造では、排水を内部に流入させるための流入口がトラップ内に設けられる封水の液面よりも下方に配置され、トラップの上端が、排水口が配置された床面よりも上方に位置するようにトラップが配置されているので、洗濯機用防水パンを設置した部屋の床面の高さを低くすることができ、これにより、従来よりも洗濯機用防水パンを設置した部屋の床下の寸法を小さくすることができる。
例えば、洗濯機用防水パンにトラップを配置する場合には、洗濯機用防水パンの床面の一部に底上げ部を設け、その内部にトラップを配置する。洗濯機用防水パンの床面の一部は高くなるが、該一部を除く残りの洗濯機用防水パンの床面全体の高さは低くすることができる。
【００２５】
また、トラップは、洗濯機用防水パンの外側にトラップを配置する空間があれば、トラップは排水口が配置される洗濯機用防水パンに限らず、洗濯機用防水パンの外側に配置することもできる。トラップを排水口が配置される洗濯機用防水パンの外側に配置できる場合、該洗濯機用防水パンの床面を完全にフラット化することが可能となる。
【００２６】
請求項７に記載の発明は、請求項１〜請求項４の何れか１項に記載の排水構造において、前記トラップの上部には、排水をトラップ内に流入させる流入部が設けられている。
請求項７に記載の排水構造によれば、排水トラップの上部の流入部からも排水をトラップ内に流入させることができる。
【００２７】
請求項８に記載の発明は、請求項５に記載のシャワー室の排水構造において、前記トラップの上部には、排水をトラップ内に流入させる流入部が設けられている。
請求項８に記載のシャワー室の排水構造によれば、排水トラップの上部の流入部からも排水をトラップ内に流入させることができる。
【００２８】
請求項９に記載の発明は、請求項６に記載の洗濯機用防水パンの排水構造において、前記トラップの上部には、排水をトラップ内に流入させる流入部が設けられている。
請求項９に記載の洗濯機用防水パンの排水構造によれば、排水トラップの上部の流入部からも排水をトラップ内に流入させることができる。
【発明の効果】
【００２９】
本発明の排水構造は上記構成としたので、建物の床下寸法を小さくできる、という優れた効果を有する。
【発明を実施するための最良の形態】
【００３０】
［第１の実施形態］
以下に、本発明の排水構造が適用されたユニットバスの第１の実施形態を図面に基づき説明する。
図１は、本実施形態に係るユニットバス１０の排水構造の構成を概略的に示す部分断面図であり、図２はユニットバス１０の要部の斜視図である。
【００３１】
本実施形態に係るユニットバス１０は、スラブ１２の上部に図示しない支持部材を介して本発明の床面としての浴室用防水パン１４が配置されている。
浴室用防水パン１４の上部には、一方の側に入浴用の湯水を溜める容器としての浴槽１６が配置され、浴室用防水パン１４の浴槽１６以外の部位は、体を洗うための洗い場１８となっている。なお、浴室用防水パン１４の上部に浴槽１６を配置した構造のユニットバスを、フルパン構造のユニットバスと呼ぶことがある。
【００３２】
浴槽１６には、浴槽１６内に溜めた湯水を排出するための排水口２０（本発明の第１の排水口）が設けられており、栓２１で塞ぐことが可能となっている。
浴室用防水パン１４には、排水口２０の下側に、排水口２０からの湯水等を排出するための排水口２５（本発明の第２の排水口）が設けられている。この排水口２５には、目皿２７が取り付けられている。
一方、浴室用防水パン１４の洗い場１８には、体を洗う際に使用した湯水、浴槽１６から溢れた湯水等を排出するための排水口２２（本発明の第２の排水口）が設けられている。この排水口２２には、目皿２３が取り付けられている。洗い場１８には、浴槽側が低くなるように若干の傾斜が付けられており、排水口２２は、洗い場１８の床面１８Ａの最も低い部分に設けられている。
【００３３】
浴室用防水パン１４には、一方の壁面側（図２では、矢印Ｒ方向側）に、洗い場１８の床面１８Ａの壁側の一部分が上方に凸となるように形成された底上げ部２４が設けられている。
底上げ部２４に内方には、封水式の排水トラップ２６が配置されている。底上げ部２４を除く床面１８Ａは、排水トラップ２６の上端２６Ａよりも低い位置にある。
【００３４】
排水トラップ２６は、排水トラップ本体２８を備えている。排水トラップ本体２８は、有底筒状とされ、側面の一部に排水口３０が形成されている。この排水口３０は、下水等に繋がる排水配管３２と接続されている。なお、排水配管３２には、排水トラップ２６から離れるにしたがって下がるよう勾配が付けられている。
【００３５】
排水トラップ本体２８は、下側に底部２８Ｂを有し、上側には開口２８Ａが形成されている。なお、開口２８Ａは、底上げ部２４の頂部側に配置されている。
図２に示すように、開口２８Ａには、目皿２３を備えた蓋３８が取り付けられている。
排水トラップ本体２８の内部には、底部２８Ｂから立ち上がるように外筒３４が形成されている。外筒３４は、排水トラップ本体２８の内部で排水を貯留し、外筒３４の上端から溢れた排水が排水口３０へ流れるように構成されている。
【００３６】
排水トラップ本体２８の上部には、開口２８Ａから底部２８Ｂに向けて下方に延びる内筒３６が設けられている。
この内筒３６は、外筒３４内部に挿入されており、下側が外筒３４に貯留された排水に浸かるようになっている。なお、内筒３６の下端から外筒３４の上端までの高さｈが封水深（例えば、５０ｍｍ）となる。
【００３７】
排水トラップ本体２８の外周側面には、浴槽１６の排水口２０と浴槽用排水配管４０を介して接続される第１の流入口４２、及び洗い場１８の排水口２２と洗い場用排水配管４４を介して接続される第２の流入口４６が形成されている。
【００３８】
これら第１の流入口４２、及び第２の流入口４６は、トラップ内部に溜められる封水５０の液面（外筒３４の上端）よりも下方に配置されている。
また、浴槽１６の下の排水口２５、及び洗い場１８の排水口２２は、トラップ内部に溜められる封水５０の液面（外筒３４の上端）よりも上方に位置していると共に、排水トラップ２６の上端２６Ａよりも低い位置にある。
【００３９】
（作用）
次に、本実施形態に係るユニットバス１０の排水構造の作用を説明する。
本実施形態に係るユニットバス１０の排水構造では、洗い場１８からの排水は、洗い場１８の排水口２２から洗い場用排水配管４４を介して、排水トラップ２６へ流入し、排水トラップ本体２８の内部で貯留され、外筒３４の上端から溢れた排水は、排水口３０から排水配管３２へ流入し、ユニットバス１０から排出される。
なお、洗い場１８からの排水は、排水トラップ２６の上部の開口２８Ａ（目皿２３）から行うことも出来る。
【００４０】
一方、浴槽１６からの排水は、浴槽１６の排水口２０から排出され、排水口２５、及び洗い場用排水配管４４を介して排水トラップ２６へ流入し、排水トラップ本体２８の内部で貯留され、外筒３４の上端から溢れた排水は、排水口３０から排水配管３２へ流入し、ユニットバス１０から排出される。
【００４１】
本実施形態のユニットバス１０の排水構造によれば、床面１８Ａの一部に設けた底上げ部２４の内部に排水トラップ２６を配置し、排水トラップ２６の上端２６Ａよりも低い位置に床面１８Ａが配置されているので、従来よりもユニットバス１０の床下の寸法を小さくすることができた（一例として、約５０ｍｍ）。
【００４２】
なお、効率的な排水を行うために、排水トラップ２６の排水芯Ｈは出来るだけ高い方が好ましいが、本実施形態に係るユニットバスの排水構造によれば、洗い場１８の床面１８Ａよりも排水トラップ２６が高い位置に配置されているので、従来の排水構造よりも低床化しつつ高い排水芯Ｈを確保することができる。
【００４３】
なお、排水トラップ２６としては、従来構造のものを用いることができる。本実施形態では、洗い場１８からの排水を、排水口２２、及び排水トラップ２６の開口２８Ａの２個所で行うようにしているが、少なくとも洗い場１８の床面１８Ａの最も低い位置に設けた排水口２２から洗い場１８の排水は可能である。
洗い場１８の床上の水は、床面１８Ａの最も低い位置に設けた排水口２２へ流れるので（通常、床面には、排水口へ向けて床上の水を流すために勾配が付けられている為。）、洗い場１８には、床面１８Ａの最も低い位置に排水口２２を配置し、該排水口２２から排水を行えば洗い場１８の排水としては必要十分である。即ち、床面１８Ａよりも高い位置にある底上げ部２４の配置される排水トラップ２６の開口２８Ａから排水を行っても良いが、必ずしも開口２８Ａから排水する必要はない。
そのため、開口２８Ａから排水する必要が無い場合には、蓋３８には、排水を行うための目皿２３は無くても良い（即ち、開口２８Ａから排水がトラップ内に流入しないように、蓋３８が、完全に開口２８Ａを塞ぐ構成としても良い。）。
また、図１に示す排水トラップ２６には内筒３６が設けられているが、内筒３６は省略することもできる。
【００４４】
［第２の実施形態］
次に、本発明の排水構造の第２の実施形態を図面にしたがって説明する。なお、第１の実施形態と同一構成には同一符号を付し、その説明は省略する。
図３に示すように、本実施形態のユニットバス１０は、浴槽１６の排水口２０に流入した湯水が、浴槽下の浴室用防水パン１４の上に一旦排水され、洗い場１８側の排水口２２、洗い場用排水配管４４を介して排水トラップ２６へと流されるようになっている。このため、排水口２５、目皿２７、浴槽用排水配管４０等が不要であり、第１の実施形態よりも部品点数を少なくできる。
本実施形態においても、第１の実施形態と同様の作用効果が得られる。
【００４５】
［第３の実施形態］
次に、本発明の排水構造の第３の実施形態を図面にしたがって説明する。なお、第１の実施形態と同一構成には同一符号を付し、その説明は省略する。
図４、及び図５（Ａ）に示すように、本実施形態の浴槽１６には、底部の一部が上方に凸となるように形成された底上げ部１６Ａが設けられており、底上げ部１６Ａの下方に排水トラップ２６が配置されている。
なお、図５（Ａ）に示すように、排水トラップ２６の開口２８Ａを、目皿の設けられていない蓋３８で完全に塞ぐようにしても良く、図５（Ｂ）に示すように、栓５６で塞ぐことのできる孔５４の形成された蓋３８で塞ぐようにしても良い。図５（Ｂ）のような構成とすれば、栓５６を外せば浴槽１６に溜めた湯水を孔５４から排水することもできる。
【００４６】
本実施形態では、洗い場側に排水トラップ２６が配置されていないので、洗い場側の底上げ部２４を小さくすることができ、更に排水配管３２を壁側に寄せれば、洗い場１８の床面１８Ａをフラットにすることもできる。
本実施形態においても、第１の実施形態と同様の作用効果が得られる。
【００４７】
［第４の実施形態］
次に、本発明の排水構造の第４の実施形態を図面にしたがって説明する。なお、第１の実施形態と同一構成には同一符号を付し、その説明は省略する。
前述した第１，２の実施形態のユニットバス１０では、浴槽１６が浴室用防水パン１４の上に配置されていたが、第３の実施形態のユニットバス１０は、図６に示すように、浴槽１６の下方に防水パンが無く、浴槽１６と洗い場１８とが一体成形されている洗い場付浴槽である。なお、このような構造のユニットバスを、ハーフパン構造のユニットバスと呼ぶことがある。
本実施形態においても、第１の実施形態と同様の作用効果が得られる。
【００４８】
［その他の実施形態］
前述した実施形態では、排水トラップ２６から排出された排水を、勾配を付けた排水配管３２に接続したが、サイフォン力を利用して排出するサイフォン排水システムに接続しても良い。サイフォン排水システムでは、スラブ上に配置される横引き管に勾配を付ける必要がないため、配管の勾配を設けるための高さを必要とせず、第１の実施形態よりも床下の寸法を更に小さくことも可能となる。即ち、本実施形態のユニットバス１０の排水構造を採用することに加えて、サイフォン排水システムを採用することにより、ユニットバス部分を含めて床下の寸法を小さくできる。
【００４９】
また、本発明の排水構造では、排水トラップ２６は、上記実施形態で示した構造のものに限らず、従来公知の他の構造の封水式の排水トラップを用いることもできる。
上記実施形態では、防水パンの排水口２２（本発明の第２の排水口）が１または２箇所であったが、３個所以上あっても良い。
【００５０】
また、上記実施形態では、排水トラップ２６の開口２８Ａを蓋３８で閉塞したが、トラップ内部の点検、清掃等が必要なければ、開口２８Ａを設けなくても良い。
【００５１】
また、浴槽１６の下方に排水トラップ２６を配置する場合、図７に示すように、浴槽１６の側面（エプロン）に点検口５２を設け、排水トラップ２６を浴槽１６から離間して配置すれば、点検口５２から蓋３８の開閉を行うようにもできる。これにより、浴槽内に蓋３８を設ける必要が無くなる。
【００５２】
また、目皿２３の上に、排水を阻害しないように、化粧蓋等を設けても良い。
また、上記実施形態では、排水トラップ２６を浴室（浴室の壁面の内側）に設ける構成であったが、排水性能を確保でき、浴室の壁面と建物の外壁との間に設けられた空間、浴室に隣接する部屋の壁面と浴室の壁面との間に設けられた空間等の浴室以外の部分に配置することが可能であれば、排水トラップ２６を浴室以外の部分に配置しても良い。
【００５３】
上記実施形態では、ユニットバスに発明を適用した例を説明したが、シャワー室、洗濯機用防水パン等、排水トラップと接続される排水口を床面に備えた部分には全て適用可能である。例えば、シャワー室内（シャワー室の壁の内側）に排水トラップを配置する場合には、シャワー室の床面の一部に底上げ部を設け、その内部に排水トラップを配置すれば良い（即ち、上記実施形態から浴槽１６、及び浴槽１６からの排水経路を省いた構成のもの）。シャワー室においても、床面の一部は高くなるが、該一部を除く残りの床面全体の高さは低くすることができる。また、シャワー室の外側に排水トラップを配置することができれば、シャワー室の床面を完全にフラット化することも可能となる。
【００５４】
また、洗濯機用防水パンに発明を適用した場合、洗濯機用防水パンの底部の一部に底上げ部を形成し、該底上げ部の内部に排水トラップを配置し、該底部に排水トラップと連結する排水口を配置する構成とする（即ち、上記実施形態から浴槽１６、及び浴槽１６からの排水経路を省いた構成のもの）。これにより、排水トラップを含む洗濯機用防水パンの全体の高さ（厚み）を小さくすることができる。また、洗濯機用防水パンの外側に排水トラップを配置することができれば、洗濯機用防水パンの床面を完全にフラット化することも可能となる。
【図面の簡単な説明】
【００５５】
【図１】第１の実施形態に係るユニットバスの排水構造の構成を概略的に示す部分断面図である。
【図２】第１の実施形態に係るユニットバスの要部を示す斜視図である。
【図３】第２の実施形態に係るユニットバスの排水構造の構成を概略的に示す部分断面図である。
【図４】第１の実施形態に係るユニットバスの要部を示す斜視図である。
【図５】（Ａ）第３の実施形態に係るユニットバスの排水構造の構成を概略的に示す部分断面図であり、（Ｂ）は蓋の他の実施形態である。
【図６】第４の実施形態に係るユニットバスの排水構造の構成を概略的に示す部分断面図である。
【図７】他の実施形態に係るユニットバスの排水構造の構成を概略的に示す部分断面図である。
【符号の説明】
【００５６】
１０    ユニットバス
１２    スラブ
１４    防水パン
１６    浴槽
１８Ａ  床面
１８    洗い場
２０    排水口（第１の排水口）
２２    排水口（第２の排水口）
２５    排水口（第２の排水口）
２６    排水トラップ
２６Ａ  上端
２８Ａ  開口部（流入部）
３０    排水口
３８    蓋
４２    流入口
４６    流入口
５０    封水
【図１】
2010059654.tif 000003
【図２】
2010059654.tif 000004
【図３】
2010059654.tif 000005
【図４】
2010059654.tif 000006
【図５】
2010059654.tif 000007
【図６】
2010059654.tif 000008
【図７】
2010059654.tif 000009